【手続補正書】
【提出日】平成25年6月3日(2013.6.3)
【手続補正１】
【補正対象書類名】特許請求の範囲
【補正対象項目名】全文
【補正方法】変更
【補正の内容】
【特許請求の範囲】
【請求項１】
ホーゼルを備えるクラブヘッド本体と、
ホーゼルに挿入可能であり、ゴルフクラブシャフトを、ホーゼルに再配置可能に連結するように構成されるシャフトスリーブと、
シャフトスリーブをホーゼル内に固定するように構成される固定留め具と、
クラブヘッド本体がシャフトスリーブと固定留め具とに連結される場合のクラブヘッド本体とシャフトスリーブと固定留め具との組み立てたクラブヘッド質量と、
クラブヘッド本体がシャフトスリーブと固定留め具から取り外される場合の取り外したクラブヘッド質量と、を備え、
ホーゼルは、
シャフトスリーブを受け入れるように構成されるホーゼル穴を備え、
シャフトスリーブは、
スリーブ質量と、
ゴルフクラブシャフトの端部を受け入れるように構成されるスリーブ穴と、を備え、
固定留め具は、固定留め具質量を備え、
スリーブ質量は、組み立てたクラブヘッド質量の約３％未満であり、
クラブヘッドは、ドライバタイプのクラブヘッドを備え、
シャフトスリーブは、シャフトスリーブ重心を含み、
シャフトスリーブがホーゼル内に固定されて、ゴルフクラブヘッドがアドレスの位置にある場合に、
シャフトスリーブ重心は、ゴルフクラブヘッドのソールのソール底端部を基準として約４３．７ｍｍ未満のスリーブＣＧ垂直距離に位置する、ゴルフクラブヘッド。
【請求項２】
スリーブ質量は、取り外したクラブヘッド質量の約２．７％以下である、請求項１に記載のゴルフクラブヘッド。
【請求項３】
スリーブ結合質量は、スリーブ質量と固定留め具質量とを有し、
スリーブ結合質量は、取り外したクラブヘッド質量の約４％未満である、請求項１又は２に記載のゴルフクラブヘッド。
【請求項４】
スリーブ結合質量は、スリーブ質量と固定留め具質量とを有し、
スリーブ結合質量は、取り外したクラブヘッド質量の約３．５％以下である、請求項１から３のいずれか一項に記載のゴルフクラブヘッド。
【請求項５】
取り外したクラブヘッド質量は、約２０５グラム以下であり、
スリーブ質量は、約６グラム未満であり、
スリーブ質量と固定留め具質量とを有するスリーブ結合質量は、約７．５グラム未満であり、
組み立てたクラブヘッド質量は、約２１３グラム以下である、請求項１から４のいずれか一項に記載のゴルフクラブヘッド。
【請求項６】
取り外したクラブヘッド質量は、約１９２グラム未満であり、
スリーブ質量は、約５．２グラム以下であり、
スリーブ質量と固定留め具質量とを有するスリーブ結合質量は、約６．８グラム以下であり、
組み立てたクラブヘッド質量は、約１９９グラム以下である、請求項１から５のいずれか一項に記載のゴルフクラブヘッド。
【請求項７】
ホーゼルは、ホーゼル外縁部を備えるホーゼル上端部を備え、
ホーゼル外縁部は、ホーゼル上端部において、約１４ｍｍ未満のホーゼル径を有する、請求項１から６のいずれか一項のゴルフクラブヘッド。
【請求項８】
ホーゼル穴は、ホーゼル上端部に近接するホーゼル連結部を備え、
シャフトスリーブは、スリーブ穴を囲み、スリーブ連結部を備えるスリーブ外壁を備え、
スリーブ外壁のスリーブ連結部は、ホーゼル上端部に近接する位置であり、ホーゼル径内において、ホーゼル穴のホーゼル連結部に係合し、ホーゼルに対するシャフトスリーブの回転を制限するように構成される、請求項７に記載のゴルフクラブヘッド。
【請求項９】
シャフトスリーブがホーゼル内に固定されて、ゴルフクラブヘッドがアドレスの位置にある場合に、
組み立てたクラブヘッド質量は、シャフトスリーブの重心から約１５．０ｍｍ未満の垂直距離に位置する組み立てたクラブヘッド重心を規定する、請求項１から８のいずれか一項に記載のゴルフクラブヘッド。
【請求項１０】
ゴルフクラブヘッドを製造するための方法であって、
ホーゼルを備えるクラブヘッド本体を製造する工程と、
ホーゼルに連結するように構成されるシャフトスリーブを準備する工程と、
クラブヘッド本体にシャフトスリーブを固定するように構成される固定留め具を準備する工程と、を備え、
シャフトスリーブは、ゴルフクラブシャフトを、クラブヘッド本体に再配置可能に連結するように構成され、
固定留め具は、シャフトスリーブの底端部に連結するように構成されており、
ゴルフクラブヘッドは、
クラブヘッド本体がシャフトスリーブと固定留め具とに連結される場合のクラブヘッド本体とシャフトスリーブと固定留め具との組み立てたクラブヘッド質量と、
クラブヘッド本体がシャフトスリーブと固定留め具から取り外される場合の取り外したクラブヘッド質量と、を備え、
ホーゼルは、
シャフトスリーブを受け入れるように構成されるホーゼル穴を備え、
シャフトスリーブは、
スリーブ質量と、
ゴルフクラブシャフトの端部を受け入れるように構成されるスリーブ穴と、を備え、
固定留め具は、固定留め具質量を備え、
スリーブ質量は、組み立てたクラブヘッド質量の約３％未満であり、
クラブヘッドは、ドライバタイプのクラブヘッドを備え、
シャフトスリーブは、シャフトスリーブ重心を含み、
シャフトスリーブがホーゼル内に固定されて、ゴルフクラブヘッドがアドレスの位置にある場合に、
シャフトスリーブ重心は、ゴルフクラブヘッドのソールのソール底端部を基準として約４３．７ｍｍ未満のスリーブＣＧ垂直距離に位置する、方法。
【請求項１１】
スリーブ結合質量は、スリーブ質量と固定留め具質量とを有し、
スリーブ結合質量は、取り外したクラブヘッド質量の約４％未満である、請求項１０に記載の方法。
【請求項１２】
取り外したクラブヘッド質量は、約２０５グラム以下であり、
スリーブ質量は、約６グラム未満であり、
スリーブ結合質量は、約７．５グラム未満であり、
組み立てたクラブヘッド質量は、約２１３グラム以下である、請求項１０又は１１に記載の方法。
【請求項１３】
シャフトスリーブをホーゼルに連結する工程と、
ホーゼルの底端部とシャフトスリーブの底端部とを、固定留め具に連結する工程をさらに備える、請求項１０から１２のうちのいずれか一項に記載の方法。
【手続補正２】
【補正対象書類名】明細書
【補正対象項目名】０００４
【補正方法】変更
【補正の内容】
【０００４】
本明細書で開示される技術は、ゴルフクラブヘッドに具現化される。ゴルフクラブヘッドは、クラブヘッド本体と、シャフトスリーブと、固定留め具と、を備える。クラブヘッド本体は、ホーゼルを備える。シャフトスリーブは、ゴルフクラブシャフトを、ホーゼルに再配置可能に連結するように構成される。固定留め具は、シャフトスリーブをホーゼル内に固定するように構成される。クラブヘッド本体は、組み立てたクラブヘッド質量と、取り外したクラブヘッド質量と、を備える。組み立てたクラブヘッド質量は、クラブヘッド本体がシャフトスリーブと固定留め具とに連結される場合のクラブヘッド本体とシャフトスリーブと固定留め具との質量である。取り外したクラブヘッド質量は、クラブヘッド本体がシャフトスリーブと固定留め具から取り外される場合の質量である。ホーゼルは、シャフトスリーブを受け入れるように構成されるホーゼル穴を備える。シャフトスリーブは、スリーブ質量を備える。シャフトスリーブは、ゴルフクラブシャフトの端部を受け入れるように構成されるスリーブ穴を備える。固定留め具は、固定留め具質量を備える。スリーブ質量は、組み立てたクラブヘッド質量の約３％未満である。また、クラブヘッドは、ドライバタイプのクラブヘッドを備え、シャフトスリーブは、シャフトスリーブ重心を含み、シャフトスリーブがホーゼル内に固定されて、ゴルフクラブヘッドがアドレスの位置にある場合に、シャフトスリーブ重心は、ゴルフクラブヘッドのソールのソール底端部を基準として約４３．７ｍｍ未満のスリーブＣＧ垂直距離に位置してもよい。